(57)【要約】【課題】医師に対して患者の局部映像とその正常な部位の映像と疾患箇所の映像を、診断の参考として提供すること。【解決手段】リモート・ホスト装置１０を、ＬＡＮやインターネットやＧＰＲＳなどのネットワーク２０を介して医療機構内に設置する。リモート・ホスト装置１０を医療用装置３０と、各医師の診察室内に配設されるコンピュータ装置４０にネットワーク２０を介して接続する。患者の局部部分に対する複数の対照映像を対照映像データベース１１に保存する。医療用装置３０によって撮影された患者の局部部分のデジタル映像、及び患者の基本情報を結合し、患者データベース１２に記憶する。対照映像データベースをサーチし、患者の性別や年齢や身体の局部などが近似する対照映像を探し出す。【選択図】図２
2006055507.tif 000002
【特許請求の範囲】
【請求項１】
医療機構に使用される医療映像自動的サーチ対照方法であって、
患者の局部部分に対する複数の対照映像を対照映像データベースに保存するステップ（１）と、
医療用装置によって撮影された患者の局部部分のデジタル映像、及び患者の基本情報を結合し、患者データベースに記憶するステップ（２）と、
前記対照映像データベースをサーチし、近似する患者の性別や年齢や身体の局部などが一致する前記対照映像を探し出すステップ（３）と、
撮影し得た患者のデジタル映像とサーチし得た対照映像とを並列表示させるステップ（４）と、を有することを特徴とする即時医療映像自動的サーチ対照方法。
【請求項２】
前記ステップ（１）は、
前記対照映像として正常な人体の局部の映像と、特定の疾患を有する人体の局部の映像とを保存すると共に、患者の性別や年齢や身体部分を含む属性に従って分類して記憶することを特徴とする請求項１に記載の即時医療映像自動的サーチ対照方法。
【請求項３】
前記ステップ（２）において、患者の局部部分のデジタル映像と患者の基本情報とを結合するとき、患者の性別や年齢や氏名を含む患者の基本的情報を前もって作成することを特徴とする請求項１に記載の即時医療映像自動的サーチ対照方法。
【請求項４】
前記ステップ（２）においては、前記医療用装置として医療用デジタル映像通信技術仕様（ＤＩＣＯＭ）を満足する装置を使用し、前記ＤＩＣＯＭによるコントロール・コマンド・セットを用いて前記デジタル医療映像を生成することを特徴とする請求項１に記載の即時医療映像自動的サーチ対照方法。
【請求項５】
前記医療用装置は、レントゲン撮影装置、血管撮影装置、超音波検出装置、内視鏡撮影装置、口部内部撮影装置、断層走査装置の何れかを含むことを特徴とする請求項１に記載の即時医療映像自動的サーチ対照方法。
【請求項６】
前記ステップ（２）において、
前記患者の基本情報と局部部分のデジタル映像とが結合されて、各診断室に設けられたコンピュータ装置に表示されることを特徴とする請求項１に記載の即時医療映像自動的サーチ対照方法。
【請求項７】
前記ステップ（３）において、
前記対照映像を探し出すとき、診断室に設けられたコンピュータ装置に対しサーチ・コマンドを入力することを特徴とする請求項１に記載の即時医療映像自動的サーチ対照方法。
【請求項８】
前記ステップ（３）において、
前記患者の性別、年齢、人体の局部名称のうち、１つ以上の情報を検索条件として用い、患者の疾患に対応した前記対照映像ことを探索条件として指示する探索指示ステップと、
前記対照映像データベースに前記探索条件を入力することによって特定の前記対照映像を抽出する抽出ステップと、有することを特徴とする請求項１に記載の即時医療映像自動的サーチ対照方法。
【請求項９】
前記探索条件に合致する対照映像が複数個存在する場合に、前記診断室に設けられたコンピュータ装置には選択肢ウインドウが表示され、その中に探索条件に合致する全ての対照映像を表示する一覧表示ステップと、
前記一覧表示のうち、特定の対照映像を選択する選択ステップと、
選択された対照映像を正規のサイズで表示する表示ステップと、を有することを特徴とする請求項８に記載の即時医療映像自動的サーチ対照方法。
【請求項１０】
医療機構に使用される医療映像自動的サーチ対照システムにおいて、
患者の診断対象部分を撮影することによって少なくとも一つのデジタル映像を生成する医療用装置と、
ネットワークを介して前記医療用装置に接続され、患者の氏名、性別、年齢、身体の局部名の何れかを含む基本情報と、前記医療用装置によって撮影された患者のデジタル映像と、当該患者の疾患部分に対応する他の患者及び健常者の対照映像とがデータベースとして記憶されたリモート・ホスト装置と、
各診断室に配設され、前記ネットワークを介して前記リモート・ホスト装置に接続され、診察対象となる患者の基本的情報とデジタル映像とを表示するコンピュータ装置と、を備えており、
前記リモート・ホスト装置から診断対象の患者の基本情報を取り出すと共に、患者の性別や年齢や局部において当該患者と属性が近似する他の患者又は健常者の対照映像を探し出して前記コンピュータ装置に表示するプログラムが、前記コンピュータ装置にインストールされていることを特徴とする即時医療映像自動サーチ対照システム。
【請求項１１】
前記医療用装置は、医療用デジタル映像通信技術仕様（ＤＩＣＯＭ）を満足するものであり、前記ＤＩＣＯＭによるコントロール・コマンド・セットを用いて前記デジタル医療映像を生成することを特徴とする請求項１０に記載の即時医療映像自動サーチ対照システム。
【請求項１２】
前記医療用装置は、レントゲン撮影装置、血管撮影装置、超音波検出装置、内視鏡撮影装置、口部内部撮影装置、断層走査装置の何れかを含むことを特徴とする請求項１０に記載の即時医療映像自動サーチ対照システム。
【請求項１３】
前記ネットワークは、ＬＡＮ、インターネット、ＧＰＲＳのいずれかであることを特徴とする請求項１０に記載の即時医療映像自動的サーチ対照システム。
【請求項１４】
前記リモート・ホスト装置は、
複数の患者の基本情報と診察対象局部におけるデジタル映像とを記憶する患者データベースと、
当該患者の疾患部分に対応する他の患者及び健常者の対照映像を記憶する対照映像データベースと、を有することを特徴とする請求項１０に記載の即時医療映像自動的サーチ対照システム。
【請求項１５】
前記対照映像は、複数の正常な人体の局部の映像と特定の疾患の映像とを含むものとし、且つ性別、年齢、身体部分の条件に従って分類して前記対照用映像データベースに記憶されることを特徴とする請求項１４に記載の即時医療映像自動的サーチ対照システム。
【請求項１６】
前記コンピュータ装置には診断用ウインドウが表示され、前記診断用ウインドウには、患者の病歴番号、姓名、年齢、性別、身体部位のいずれかを基本的情報して表示する患者基本情報表示エリアと、
前記の患者のデジタル映像を表示する患者影像表示エリアと、
前記対照映像を表示する対照映像表示エリアと、を有することを特徴とする請求項１０に記載の即時医療映像自動的サーチ対照システム。
【請求項１７】
前記対照映像表示エリアは、前記対照映像に対し図形枠又は色彩図形枠を加えることによって、患者のデジタル映像と対照映像とを区別できるようにしたことを特徴とする請求項１６に記載の即時医療映像自動的サーチ対照システム。
【発明の詳細な説明】
【技術分野】
【０００１】
本発明は、即時医療映像自動的サーチ対照方法及びそのシステムに係わり、特に医療機構に使用され、医者に対して患者の局部映像とその正常な部位の映像と疾患箇所の映像を診断の参考として提供する疾病診断用のアシストシステムに用いられるものである。
【背景技術】
【０００２】
さて、コンピュータ装置のハードウエア及びソウトウエア技術の進歩に従って、大部分の医療機構は、コンピュータ装置を利用して、患者に対して順番登録、疾患診察、薬物使用の設定、薬物の分類管理を行っている。更に医療機構は、医療人員の管理などの事務処理も実施している。このように医療機構は、素早く且つ便利的に患者にサービスを提供すると共に、他の余分な資源を他のサービスに提供できるようにしている。
【０００３】
医療機関では、コンピュータ技術を医療設備に応用して、医療技術をさらに進歩させるように努力している。このように業界で普遍的に採用される技術手段であるコンピュータ技術を、例えば超音波医療装置に応用することにより、３Ｄコンピュータ・イメージ・テクニックを導入することが可能となる。例えば人体の内部の構成に近似する図形を描くことができる。また、幼児の顔つきや体型などを模擬的に作成することができる。また、断層走査装置や内視鏡などの医療用映像装置の分野については、コンピュータ技術を導入すると、その診察対照の映像をデジタル化処理し、そのデータを記憶させてから診察が容易になるよう画像処理を施すこともできる。このようにコンピュータ技術によって映像又はイメージを合成すると、人体の内部の疾患の状況やその局部の映像を速やかにサーチすることができ、医療手術の成功率を大幅に向上させることができる。
【０００４】
中規模又は大規模の医療機関においては、医者が病状を診断する前に、放射腺課の医者が患者の状況についての検査報告を先に用意することがある。例えば、レントゲン写真撮影や、超音波検査や、ＣＴＲやＮＭＲの断層写真撮影を含む検査作業を、主治医の診察の前に予め行うことが多い。そのような検査報告として、医療用装置の撮影によって得られた医療映像フィルムなどが添付される。担当の医師（主治医）は、このような検査報告を用いて患者の病状を分析して判断をしたり、初歩的診断などを行う。
【０００５】
しかしながら、医療映像フィルムは、そのサイズがそれぞれ異なり、また折り曲げることができない。このため、フイルムサイズ、診療科、検査機器毎に分類して保存する必要がある。また医療のカルテとこのような検査報告は分けて収納されることが多く、カルテと検査報告である医療映像フィルムとを効果的に管理できない問題を生じている。そのため最近は、所謂“医療用デジタル映像通信技術仕様”（Ｄｉｇｉｔａｌ  Ｉｍａｇｉｎｇ  Ｃｏｍｍｕｎｉｃａｔｉｏｎｓ  Ｍｅｄｉｃｉｎｅ，ＤＩＣＯＭ）が医学技術業界で規格化された。この規格を、以下の説明では単にＤＩＣＯＭ仕様という。今後は全ての医療用装置をＤＩＣＯＭ仕様に従って製造し、生成されるすべての医療用映像をデジタル化させてコンピュータ装置に記憶できるように設定することが望ましい。且つこれらの医療用映像データを広範的に応用し、且つこれらの情報資源を共有化するという作業も進められている。
【０００６】
そのため、前記のデジタル医療用装置とコンピュータ診断システムを利用することによって、大規模型の医療機構における医師たちが、患者を診察する前に、患者の局部の映像をコンピュータ・システムに表示させて事前に診察情報を得る。このような診察情報に基づいて医師が診察を行う。図１は医師用診断ウインドウの一例を示す説明図である。このコンピュータ診断システムにおいては、患者の基本的情報である性別、年齢、身体の局部名と、患者の診察対象となる局部の映像とを同時に表示させることができる。
【０００７】
しかしながら、直接的に患者の局部の映像を観察することによって全ての疾患や疾病の判断を下すことができない。常々正常な人（健常者）の局部の映像や、特定の疾患又は病状にある局部の映像を比較対照することにとって、患者がどのような疾病にかかったかを正確的に判断することが可能になる。例えば、ＳＡＲＳの患者における胸部のレントゲン写真を観察する場合、経験を有する医師ならば即刻に病状を判断することが可能かも知れないが、経験の少ない医師の場合、正常な人の胸部のレントゲン写真と、診断対象の患者における胸部のレントゲン写真とを比較しないと、誤って判断を下す場合がある。この意味で真のＳＡＲＳ患者における胸部のレントゲン写真と比較しないと、正確な判断を下すことができず、診断結果を誤ると、想像のつかない事態になる。
【０００８】
現在の医療機構における患者の局部を観察できるコンピュータ診断システムにおいては、多くの不便さと欠点とが存在する。このことに鑑みて、本発明はこのような課題を解消できる即時医療映像自動的サーチ対照方法及びシステムを実現することにある。即ちコンピュータ診断システム内において、正常な人体の局部の映像や疾患状態にある患者の局部の映像などを即刻に表示すると共に、医師が患者の局部の映像、健常者の局部の映像、疾患状態にある局部の映像を比較対照して相違点を探し出すことによって、正確に患者の病状を判断できるようにすることを目的とする。
【特許文献１】中華民国特許公告ｔｗ第０９２１０２８１０号
【発明の開示】
【発明が解決しようとする課題】
【０００９】
本発明は、患者の局部のデジタル映像と、患者の基本的情報とを医者の近傍に配設されるコンピュータ装置に表示でき、且つその患者の性別や年齢や身体部分に近似する正常な映像または特殊な病状の映像などを自動的にサーチして比較判断に供する機能を実現することを目的とする。そのため医者の病状に対する判断の正確さを大幅に向上できるような優れる即時医療映像自動的サーチ対照方法及びシステムを提供する。
【課題を解決するための手段】
【００１０】
前記の目的を図るために、本発明は即時医療映像自動的サーチ対照方法及びシステムを提供する。このシステムは医療機構に使用される。先に対照映像データベースを作製し、複数の正常な人体の局部の正常な映像、又は複数の特定の疾患状態にある局部の映像（対照用映像）を記憶保管する。次に医療用装置によって患者の局部を撮影することによって少なくとも一つのデジタル映像を生成する。そして患者の基本的情報と結合して患者データベースに記憶保存する。次に対照映像データベースにおける患者の性別や年齢や人体における局部の部分の正常な映像、又は特定の疾患状態にある局部の映像（対照用映像）をサーチする。更に患者のデジタル映像と対照用映像とを同一のコンピュータ装置に表示させるように処理する。
【００１１】
即時医療映像自動的サーチ対照システムを構築するため、医療用装置、リモート・ホスト装置、コンピュータ装置を設置し、コンピュータ装置に自動サーチ・プロセスを導入する。医療用装置が患者の局部を撮影することによってデジタル映像を生成する。またリモート・ホスト装置をネットワークを介して医療用装置に接続し、複数の患者の基本的情報と、複数の患者のデジタル映像と、複数の対照用映像とを記憶する。コンピュータ装置を医師の診察を行う診察室に配設する。そしてコンピュータ装置をネットワークを介してリモート・ホスト装置に接続することによって、患者の基本的情報とそのデジタル映像とを表示する。自動サーチ・プロセスにより、コンピュータ装置が自動的に患者の基本的情報をキャッチし、リモート・ホスト装置が近似する患者の性別や年齢や身体の局部などの正常な映像、又は特定の疾患状態にある局部の映像（対照用映像）を探し出す。このような情報をコンピュータ装置に表示することにより、医師の対照診断に供する。
【発明を実施するための最良の形態】
【００１２】
本発明の達成しようとする課題や、その課題を実現する技術手段やその効果について更に詳しく説明するために、添付図面を参照しながら本発明の具体的な実施の形態を詳細に説明する。なお、それらの具体的な説明によるシステム構成とその情報処理方法は、単に本発明の実施の形態を好適に示すものに過ぎず、本発明の主張する範囲を狭義的に局限するものではない。
【００１３】
図２は、本発明の即時医療映像自動サーチ対照システムの全体構成を示す概念図である。この即時医療映像自動サーチ対照システムは主に医療機構（病院）に使用されるアシストシステムである。即時医療映像自動サーチ対照システムは、医療映像を担当医師に提供することによって、医師が患者の疾患状態を判断する際の参考情報として活用するものである。リモート・ホスト装置１０がネットワーク２０を介して医療機構の管理部門に設置される。ネットワーク２０は、例えばＬＡＮやインターネットやＧＰＲＳなどである。リモート・ホスト装置１０はネットワーク２０を介して医療機構内における医療用装置３０や、複数のコンピュータ装置４０に接続されている。各コンピュータ装置４０は各医師が患者に対して診断を行う各診察室内に配設されている。
【００１４】
リモート・ホスト装置１０には、対照映像データベース１１を保持する記憶装置と患者データベース１２を保持する記憶装置とが接続されている。対照映像データベース１１には複数の正常な人（健常者）に係わる多くの局部の映像や、特定の疾患を有する患者の局部の映像が記憶されている。これらの映像をまとめて対照用映像情報１１１という。これらの対照用映像情報１１１は、性別や年齢や身体部分（局部名）などに従って分類して保存される。また、患者データベース１２には複数の患者の基本的情報１２１や、複数の患者の局部におけるデジタル映像１２２が保存される。患者の基本情報１２１とは、病歴や姓名や年齢や性別や身体の部位（局部）などの情報をいう。
【００１５】
また、患者のデジタル映像１２２は少なくとも一つの医療用装置３０によって撮影される。医療用装置３０は、例えばレントゲン撮影装置、血管撮影装置、超音波検出装置、内視鏡撮影装置、口部内部撮影装置、ＣＴＲやＮＭＲ等の断層走査装置をいう。これらの医療用装置３０は当該診療科目の検査室に設置され、ネットワーク２０を介してリモート・ホスト装置１０に接続されている。これらの医療用装置３０はデジタル映像通信医学仕様（Ｄｉｇｉｔａｌ  Ｉｍａｇｉｎｇ  Ｃｏｍｍｕｎｉｃａｔｉｏｎｓ  Ｍｅｄｉｃｉｎｅ，ＤＩＣＯＭ）の仕様を満足することが望ましい。その内部には、ＤＩＣＯＭに適合するコントロール・コマンド・セットが備えられており、ＤＩＣＯＭ仕様を満足するデジタル映像１２２を生成できる。
【００１６】
また、医師が勤務する診察室内には、コンピュータ装置４０が配置される。コンピュータ装置４０は、ネットワーク２０を介して前記のリモート・ホスト装置１０と接続でき、そのコンピュータ装置４０において、患者の基本的情報１２１とその患者の身体の局部のデジタル映像１２２を表示できる。また、図１に示すのは、そのコンピュータ装置４０における診断ウインドウ４１の第一の表示例を示す説明図である。表示画面には、患者基本情報表示エリア４１１があり、そこに患者の基本的情報を表示する。また表示画面には患者映像表示エリアエ４１２があり、そこに患者のデジタル映像１２２を表示する。
【００１７】
各コンピュータ装置４０には自動サーチ・プロセス４２がインストールされている。自動サーチ・プロセス４２は、コントロール・コマンドによって自動的に患者の基本的情報１２１をキャッチし、且つリモート・ホスト装置１０における対照用映像情報データベース１１内の情報をサーチする。そして現在の診断対象の患者と、疾患においてこの患者と近似する別の患者の性別や年齢や身体の局部の正常な映像、即ち対照用映像１１１を探し出す。また自動サーチ・プロセス４２はコンピュータ装置４０に対照用映像１１１を表示し、担当医師に患者のデジタル映像１２２と正常な局部の映像、又は特定の疾患状態にある局部の映像を表示する。こうして対照用映像情報１１１と患者のデジタル映像１２２との相違点を分別可能にする。こうすれば、夫々の専門診療科目において、治験数の少ない医師であっても、患者の疾病状況を正確に判断することができる。
【００１８】
図３は、コンピュータ装置４０における診断ウインドウ４１の第２の表示方法を示す説明図である。診断ウインドウ４１においては、単独にその患者のデジタル映像１２２を拡大できると共に、その診断ウインドウ４１において対照用影像表示エリア４１３を配設することによって、サーチし得た対照用映像１１１を表示できる。
【００１９】
図４は診断ウインドウ４１の対照表示の表示方法を示す説明図である。担当医師に患者のデジタル映像１２２と対照用映像１１１とを容易に区別させるために、わざとその対照映像表示エリア４１３に表示される対照用映像１１１に対し、図形枠やカラーの図形枠１１２を加えることによって、担当医師に映像同士を混同させないようにすることができる。
【００２０】
また、図５及び図６は、本発明の医療映像自動的サーチを行う手順を示したフローチャートである。まず、リモート・ホスト装置１０に対して対照用映像情報データベース１１を作製する（ステップ１００）。そしてその内部に複数の正常な人の局部における映像、又は特定の疾患状態にある患者の局部の映像を対照用映像１１１として記憶保存する。一方、患者データベース１２を作製する（ステップ１０２）。その内部には患者の基本的情報１２１と患者のデジタル映像１２２とを記憶保存する。
【００２１】
医師が患者の病状を診断する際に、まず医療用装置３０によって患者の局部を撮影する。このことによって疑わしき局部を検査し、少なくとも一つのデジタル映像１２２を作成する。そして患者の基本的情報１２１をデジタル映像１２２に結合し、患者データベース１２内にそれらの情報を記憶保存する（ステップ１０４）。
【００２２】
医師が患者の病状を診察する時に、医師が診察室内のコンピュータ装置４０に表示される患者の基本的情報１２１とデジタル映像１２２を参照する（ステップ１０６）。また、図１に示すように、医師がその患者のデジタル映像１２２を拡大して観察することもでき、その場合、図３に示すように表示される。
【００２３】
担当医師が患者の病状を正しく判断できない場合に、サーチ・コマンドをコンピュータ装置４０に対し発行する（ステップ１０８）。この場合では、コンピュータ装置４０が患者の性別や年齢や身体の局部などの関連する基本的情報１２１をキャッチすることによってサーチ条件を生成する（ステップ１１０）。サーチ・コマンドをリモート・ホスト装置１０に送信すると、リモート・ホスト装置１０は対照用映像情報データベース１１に接続される。リモート・ホスト装置１０はサーチ条件に従って、近似する条件を有する患者の性別や年齢や身体の局部などの正常な映像、又は特定の疾患状態にある患者の局部の映像を対照用映像１１１としてサーチする（ステップ１１２）。
【００２４】
リモート・ホスト装置１０がサーチした対照用映像１１１が一つ以上に存在する場合には（ステップ１１４）、サーチ条件に該当する登録情報を、検索中のコンピュータ装置４０に送信する。その際、コンピュータ装置４０には選択肢ウインドウ４３が表示される（ステップ１１６）。このとき全ての該当登録情報が表示される。図７は選択肢ウインドウ４３の表示例を示す説明図である。
【００２５】
このような場合では、医師が選択肢ウインドウにリストされるいずれ一つのサーチ条件に該当する登録情報を選択することができる（ステップ１１８）。選択終了後に、リモート・ホスト装置１０が該当する対照用映像１１１をコンピュータ装置４０にロードする（ステップ１２０）。また、図４に示すように、患者のデジタル映像１２２と対照用映像１１１とをコンピュータ装置４０に並列表示し、診察の参考情報としてデータを医師に提供する。
【産業上の利用可能性】
【００２６】
本発明の即時医療映像自動的サーチ対照方法及びそのシステムは、大規模の医療機構のみならず、各地区に存在する複数の小規模の医療機構と、中央の医療機構とネットで結合して利用することもできる。
【図面の簡単な説明】
【００２７】
【図１】診断ウインドウの第一の表示例を示す説明図である。
【図２】本発明の即時医療映像自動的サーチ対照システムの全体構成を示す概念図である。
【図３】診断ウインドウの第二の表示例を示す説明図である。
【図４】診断ウインドウの第三の表示例を示す説明図である。
【図５】本発明の即時医療映像自動的サーチ対照システムの動作を示すフローチャート（その１）である。
【図６】本発明の即時医療映像自動的サーチ対照システムの動作を示すフローチャート（その２）である。
【図７】選択肢ウインドウの表示例を示す説明図である。
【符号の説明】
【００２８】
１０  リモート・ホスト装置
１１  対照用映像情報データベース
１２  患者データベース
２０  ネットワーク
３０  医療用装置
４０  コンピュータ装置
４１  診断ウインドウ
４２  自動サーチ・プロセス
４３  選択肢ウインドウ
１１１  対照用映像
１１２  図形枠
１２１  基本的情報
１２２  デジタル映像
４１１  基本情報表示エリア
４１２  患者映像表示エリア
４１３  対照用映像表示エリア
【図１】
2006055507.tif 000003
【図２】
2006055507.tif 000004
【図３】
2006055507.tif 000005
【図４】
2006055507.tif 000006
【図５】
2006055507.tif 000007
【図６】
2006055507.tif 000008
【図７】
2006055507.tif 000009